(57)【特許請求の範囲】
【請求項１】
第１誘導体と、第２誘導体と、前記第１誘導体および前記第２誘導体と接続し、利用者の腰から頭部の間かつ前方に配置された抱き持ち部とを備え、
前記第１誘導体は、前記利用者の左肩に装着される左肩装着部と、
前記抱き持ち部の右側と接続する抱き持ち部右接続部と、
少なくとも前記利用者の背面側を通り、前記左肩装着部と前記抱き持ち部右接続部とを接続し、前記抱き持ち部右接続部の方向へ引っ張る第１引張体と、
前記左肩装着部と前記第１引張体とを接続する第３引張体を有し、
前記第２誘導体は、前記利用者の右肩に装着される右肩装着部と、
前記抱き持ち部の左側と接続する抱き持ち部左接続部と、
少なくとも前記利用者の背面側を通り、前記右肩装着部と前記抱き持ち部左接続部とを接続し、前記抱き持ち部左接続部の方向へ引っ張る第２引張体と、
前記右肩装着部と前記第２引張体とを接続する第４引張体を有し、
前記第１引張体は、
前記利用者の左脇に装着される左脇装着部を有し、
前記左肩装着部から前記利用者の前面、前記左脇装着部、および前記利用者の背面を経由して前記抱き持ち部右接続部に接続し、
前記第２引張体は、
前記利用者の右脇に装着される右脇装着部を有し、
前記右肩装着部から前記利用者の前面、前記右脇装着部、および前記利用者の背面を経由して前記抱き持ち部左接続部に接続し、
前記第３引張体は、
前記第１引張体と、前記利用者の背面の縦方向中心線より右側で接続し、
前記第４引張体は、
前記第２引張体と、前記利用者の背面の縦方向中心線より左側で接続する構成である
抱き持ち具。
【請求項２】
前記第１引張体と前記第２引張体とが前記利用者の背面で互いにクロスするよう交差し、かつ互いに固定されない第１交差部と、
前記第３引張体と前記第４引張体とが前記利用者の背面で互いにクロスするよう交差し、かつ互いに固定されない第２交差部を有する
請求項１記載の抱き持ち具。
【請求項３】
前記第１引張体および前記第２引張体のそれぞれは、幅を有する紐状に形成され、
前記第１引張体は、
前記左脇装着部の前記幅よりも前記抱き持ち部右接続部の前記幅が大きく、
前記第２引張体は、
前記右脇装着部の前記幅よりも前記抱き持ち部左接続部の前記幅が大きい
請求項１または２記載の抱き持ち具。
【発明の詳細な説明】
【技術分野】
【０００１】
この発明は、人または物を抱えるための抱き持ち具に関する。
【背景技術】
【０００２】
人は、乳幼児や重いものを前方に抱きかかえて歩行しようとした際に、重心が前方に移動することから、姿勢が前のめりになりがちである。しかし、この前のめりの姿勢では、人は抱きかかえ対象に十分に力を伝達することができない。また、長時間前のめりの姿勢を維持すると、その姿勢の癖がついてしまうことで、スタイルや見た目が悪くなるといった美容面ばかりでなく、肩こりや腰痛などの身体の不調を引き起こす原因ともなり得る。
【０００３】
乳幼児の抱きかかえを補助するものとして、例えば乳児用抱っこ補助具が提案されている（特許文献１参照）。この乳児用抱っこ補助具は、抱きかかえ対象となる乳幼児を下から支えるように、使用者の肩から反対側の脇腹に通すような、たすき掛けの要領で装着する形態で、使用者の腕の負担を低減するよう設計されている。しかし、このような抱きかかえ補助ベルトは、利用者の姿勢を誘導するものではなく、力の伝達の補助や、乳幼児を抱きかかえることで発生する姿勢の悪化を正せるものではなかった。
【先行技術文献】
【特許文献】
【０００４】
【特許文献１】特開２００６−３４１０８０号公報
【発明の概要】
【発明が解決しようとする課題】
【０００５】
この発明は、上述の問題に鑑みて、人または物を抱えたヒトの姿勢を正しい姿勢に誘導し、抱きかかえ対象に対する力の伝達を補助する姿勢誘導機能を有する抱き持ち具を提供することを目的とする。
【課題を解決するための手段】
【０００６】
第１誘導体と、第２誘導体と、前記第１誘導体および前記第２誘導体と接続し、利用者の腰から頭部の間かつ前方に配置された抱き持ち部とを備え、前記第１誘導体は、前記利用者の左肩に装着される左肩装着部と、前記抱き持ち部の右側と接続する抱き持ち部右接続部と、少なくとも前記利用者の背面側を通り、前記左肩装着部と前記抱き持ち部右接続部とを接続し、前記抱き持ち部右接続部の方向へ引っ張る第１引張体と、前記左肩装着部と前記第１引張体とを接続する第３引張体を有し、前記第２誘導体は、前記利用者の右肩に装着される右肩装着部と、前記抱き持ち部の左側と接続する抱き持ち部左接続部と、少なくとも前記利用者の背面側を通り、前記右肩装着部と前記抱き持ち部左接続部とを接続し、前記抱き持ち部左接続部の方向へ引っ張る第２引張体と、前記右肩装着部と前記第２引張体とを接続する第４引張体を有し、前記第１引張体は、前記利用者の左脇に装着される左脇装着部を有し、前記左肩装着部から前記利用者の前面、前記左脇装着部、および前記利用者の背面を経由して前記抱き持ち部右接続部に接続し、前記第２引張体は、前記利用者の右脇に装着される右脇装着部を有し、前記右肩装着部から前記利用者の前面、前記右脇装着部、および前記利用者の背面を経由して前記抱き持ち部左接続部に接続し、前記第３引張体は、前記第１引張体と、前記利用者の背面の縦方向中心線より右側で接続し、前記第４引張体は、前記第２引張体と、前記利用者の背面の縦方向中心線より左側で接続する構成である抱き持ち具とした。
【発明の効果】
【０００７】
この発明により、人または物を抱えた使用者の上半身を正しい姿勢に誘導することで、抱きかかえ対象物に対する力の伝達を補助することができる。
【図面の簡単な説明】
【０００８】
【図１】使用者が装着した際の本発明に係る姿勢誘導抱き持ち具の背面図。
【図２】使用者が装着した際の本発明に係る姿勢誘導抱き持ち具の右背面斜視図。
【図３】使用者が装着した際の本発明に係る姿勢誘導抱き持ち具の正面図。
【図４】使用者が装着した際の本発明に係る姿勢誘導抱き持ち具の左正面斜視図。
【発明を実施するための形態】
【０００９】
以下、本発明の一実施形態を図面と共に説明する。
図１は、使用者が装着した際の本発明に係る姿勢誘導機能を有する抱き持ち具（姿勢誘導抱き持ち具１）の背面図である。図２は、使用者が装着した際の本発明に係る姿勢誘導抱き持ち具１の右背面斜視図である。図３は、使用者が装着した際の本発明に係る姿勢誘導抱き持ち具１の正面図である。図４は、使用者が装着した際の本発明に係る姿勢誘導抱き持ち具１の左正面斜視図である。
【００１０】
姿勢誘導抱き持ち具１は、紐状、ベルト状または帯状の第１誘導体Ａと、紐状、ベルト状または帯状の第２誘導体Ｂと、抱き持ち部Ｃとを有する。第１誘導体Ａ、第２誘導体Ｂおよび抱き持ち部Ｃは、布製である。第１誘導体Ａは、左肩装着部１０Ｌと、抱き持ち部右接続部２５Ｒと、左肩装着部１０Ｌと抱き持ち部右接続部２５Ｒを繋ぐ第１引張体１２Ｌと、左肩装着部１０Ｌと第１引張体１２Ｌを繋ぐ第３引張体１１Ｌで構成されている。第２誘導体Ｂは、右肩装着部１０Ｒと、抱き持ち部左接続部２５Ｌと、右肩装着部１０Ｒと抱き持ち部左接続部２５Ｌを繋ぐ第２引張体１２Ｒと、右肩装着部１０Ｒと第２引張体１２Ｒを繋ぐ第４引張体１１Ｒで構成されている。
【００１１】
抱き持ち部Ｃは、使用者が姿勢誘導抱き持ち具１を装着した際に、使用者の腰前方から頭部までの間、たとえば腹部前方に配置され、使用者の前方に向かって凸の湾曲した形状を有する。すなわち、使用者のお腹と抱き持ち部Ｃによって、乳幼児などの抱き持ち対象を収める空間を形成する。以下、本実施例形態では抱き持ち対象が乳幼児である場合を例に挙げて説明する。抱き持ち部Ｃは、乳幼児を抱きかかえた際に、乳幼児の背もたれとなる背もたれ部２０と、乳幼児の頭部を支える頭部支部２１と、下方から乳幼児を支える下方支部２２と、乳幼児の右脚部を挿通する右脚挿通穴２３Ｌと、乳幼児の左脚部を挿通する左脚挿通穴２３Ｒとを有する。
【００１２】
使用者が姿勢誘導抱き持ち具１を装着した際に、左肩装着部１０Ｌと右肩装着部１０Ｒはそれぞれ利用者の左肩と右肩の上面に沿うように装着され、第１引張体１２Ｌと第２引張体１２Ｒは、それぞれ左肩装着部１０Ｌと右肩装着部１０Ｒに接続され、左肩装着部１０Ｌと右肩装着部１０Ｒとの接続部から利用者の前方の腕の付け根に沿ったあと脇の下から背中側を通り、抱き持ち部左接続部２５Ｌと抱き持ち部右接続部２５Ｒはそれぞれ抱き持ち部Ｃの左端部付近と右端部付近に接続される。ただし、本明細書において「肩」とは、腕の上端部から首元までの範囲を含む人体の部分のことをいう。
【００１３】
左肩装着部１０Ｌは、使用者の前方の左腕の付け根に沿って延びる第１引張体１２Ｌと、使用者の背中に沿って左肩から右側腰部に向かって延びる第３引張体１１Ｌの境界である。また、右肩装着部１０Ｒは、使用者の前方の右腕の付け根に沿って延びる第２引張体１２Ｒと、使用者の背中に沿って右肩から左側腰部に向かって延びる第４引張体１１Ｒの境界である。
【００１４】
左肩装着部１０Ｌおよび、右肩装着部１０Ｒの横幅は、１ｃｍ〜７ｃｍとすることができ、２ｃｍ〜６ｃｍが好適であり、３ｃｍ〜５ｃｍとすることがより好適である。左肩装着部１０Ｌおよび、右肩装着部１０Ｒの厚みは、横幅より薄い。これにより、引っ張られても横幅の分だけ力が分散されて痛くなく、かつ、利用者の身体にフィットしてごわつかず、目立たないようにできる。
【００１５】
第１引張体１２Ｌと第２引張体１２Ｒと第３引張体１１Ｌと第４引張体１１Ｒは、紐状あるいはベルト状、帯状に形成されている。この第１引張体１２Ｌと第２引張体１２Ｒと第３引張体１１Ｌと第４引張体１１Ｒは、左肩装着部１０Ｌおよび右肩装着部１０Ｒと同じ素材で形成されている。
【００１６】
第１引張体１２Ｌは、左肩固定部１３Ｌと、左脇装着部１７Ｌと、第３引張体１１Ｌと接続する右側引張体接続部１８Ｒとを有する。第１引張体１２Ｌは、左肩装着部１０Ｌから使用者の前方の左腕の付け根に沿って延びて左肩固定部１３Ｌを形成し、左脇装着部１７Ｌを経由して使用者の背面に回り、抱き持ち部右接続部２５Ｒに固定される。第１引張体１２Ｌと抱き持ち部右接続部２５Ｒとの固定方法は、面ファスナー（マジックテープ（登録商標））やボタンといった種々の固定方法を使用できる。
【００１７】
第３引張体１１Ｌは、左肩装着部１０Ｌから使用者の背面に延び、右側引張体接続部１８Ｒと固定される。右側引張体接続部１８Ｒは、使用者の背面の縦方向中心線より右側に配置される。第３引張体１１Ｌと右側引張体接続部１８Ｒとの固定方法は、面ファスナーやボタンといった種々の固定方法を使用できる。
【００１８】
第２引張体１２Ｒは、右肩固定部１３Ｒと、右脇装着部１７Ｒと、第４引張体１１Ｒと接続する左側引張体接続部１８Ｌとを有する。第２引張体１２Ｒは、右肩装着部１０Ｒから使用者の前方の右腕の付け根に沿って延びて右肩固定部１３Ｒを形成し、右脇装着部１７Ｒを経由して使用者の背面に回り、抱き持ち部左接続部２５Ｌに固定される。第２引張体１２Ｒと抱き持ち部左接続部２５Ｌとの固定方法は、面ファスナーやボタンといった種々の固定方法を使用できる。
【００１９】
第４引張体１１Ｒは、右肩装着部１０Ｒから使用者の背面に延び、左側引張体接続部１８Ｌと固定される。左側引張体接続部１８Ｌは、使用者の背面の縦方向中心線より左側に配置される。第４引張体１１Ｒと左側引張体接続部１８Ｌとの固定方法は、面ファスナーやボタンといった種々の固定方法を使用できる。
【００２０】
第１引張体１２Ｌの横幅は、左脇装着部１７Ｌにおける横幅よりも、右側引張体接続部１８Ｒおよび抱き持ち部右接続部２５Ｒにおける幅が広く設定される。同様に、第２引張体１２Ｒの横幅は、右脇装着部１７Ｒにおける横幅よりも、左側引張体接続部１８Ｌおよび抱き持ち部左接続部２５Ｌにおける幅が広く設定される。
【００２１】
第１引張体１２Ｌ、第２引張体１２Ｒ、第３引張体１１Ｌ、および第４引張体１１Ｒの横幅は、１ｃｍ〜７ｃｍとすることができ、２ｃｍ〜６ｃｍとすることができ、３ｃｍ〜５ｃｍとすることが好適である。これにより、利用者の身体にフィットしてごわつかず、目立たないようにできる。
【００２２】
第３引張体１１Ｌと第４引張体１１Ｒは、使用者の背中側の中央部で互いにクロスするよう交差し、交差部１４を形成する。第３引張体１１Ｌと第４引張体１１Ｒは、交差部１４において前後で重なるものの、互いに固定されていないことが好ましい。第１引張体１２Ｌと第２引張体１２Ｒは、互いにクロスするよう交差し、交差部１６を形成する。第１引張体１２Ｌと第２引張体１２Ｒは、交差部１６において前後で重なるものの、互いに固定されていないことが好ましい。ただし、交差部１６は、交差部１４よりも下方に位置し、交差部１４と交差部１６とは、所定の間隔を隔てて配置される。すなわち、交差部１４と交差部１６との間には、隙間が形成される。また、第１引張体１２Ｌと第４引張体１１Ｒは、互いにクロスするよう交差し、同様に第２引張体１２Ｒと第３引張体１１Ｌは、互いにクロスするように交差する。すなわち、第４引張体１１Ｒの一部（先端部または下端部）が第１引張体１２Ｌに重なり、第３引張体１１Ｌの一部（先端部または下端部）が第２引張体１２Ｒに重なる。第１引張体１２Ｌ、第３引張体１１Ｌ、第２引張体１２Ｒ、および第４引張体１１Ｒの、使用者の背面における重なり順は、特に限定されないが、第３引張体１１Ｌおよび第４引張体１１Ｒが、第１引張体１２Ｌおよび第２引張体１２Ｒよりも下側になるよう重なることが好ましい。
【００２３】
使用者は、抱き持ち部左接続部２５Ｌ、抱き持ち部右接続部２５Ｒ、右側引張体接続部１８Ｒ、および左側引張体接続部１８Ｌをあらかじめ固定し、抱き持ち部Ｃが使用者自身の前方となるように、第１引張体１２Ｌと第３引張体１１Ｌとで形成された環状部に左腕を通し、第２引張体１２Ｒと第４引張体１１Ｒとで形成された環状部に右腕を通すことで、姿勢誘導抱き持ち具１を装着する。
すなわち、使用者の左肩は、左肩装着部１０Ｌが装着され、抱き持ち対象が抱き持ち部Ｃに配置されると、各図の矢印の方向に向かって力がかかり、第１引張体１２Ｌおよび第３引張体１１Ｌによって、上下の２方向から背中側および右腰方向へ引っ張られる。同様に、使用者の右肩は、右肩装着部１０Ｒが装着され、抱き持ち対象が抱き持ち部Ｃに配置されると、各図の矢印の方向に向かって力がかかり、第２引張体１２Ｒおよび第４引張体１１Ｒによって、上下の２方向から背中側、左腰方向へ引っ張られ、引っ張られた状態で抱き持ち部左接続部２５Ｌによって固定される。ただし、第１誘導体Ａ、第２誘導体Ｂおよび抱き持ち部Ｃのそれぞれは、抱き持ち対象の重みによって寸法が変化しないように（伸びないように）されている。したがって、使用者が姿勢誘導抱き持ち具１を装着すると、抱き持ち対象の重みによって、左右の肩が開き、胸を張り、使用者の背筋が伸びるように、使用者が上半身を起こしたような姿勢に誘導される。
【００２４】
以上の構成により、姿勢誘導抱き持ち具１は、力の伝達を補助するだけでなく、人または物を抱えた使用者の上半身を正しい姿勢に誘導することができる。詳述すると、左右の肩甲骨を対側の下半身に向かって引っ張ることができる。このため、抱き持ち対象によって重心が前方にあるにもかかわらず、左右の肩甲骨を背中側で互いに引っ張り合わせることができる。こうすることで、背骨に集中している神経に刺激を与え、本来の機能を十分に果たしていなかった部位（省エネモードとなっていた部位）が機能し、その部位の出力が上がったり、力を発揮しやすくなる。したがって、調子が悪く力を入れなければならなかった動作について、調子が良くなって、無駄な力を入れずにその動作を行うことができる。また神経から筋肉へ送る信号の出力が上がり、筋力も増加する。そうして、抱き持ち対象により大きな力を伝達することができる。また、抱きかかえた際の姿勢が正されるため、腰部に負担をかけずに抱き持ち対象を抱きかかえることができる。また、姿勢誘導抱き持ち具１により、抱かれる乳幼児の重みが母親の上半身を正しい姿勢に誘導し、母親の健康を守ることができる。
【００２５】
また、姿勢誘導抱き持ち具１は、使用者の肩甲骨を左右でクロスして下半身方向に引っ張りながら引き合わせる形態である。この構成により、左右の肩甲骨を後方へそらして胸を左右方向に張るようにする姿勢誘導と、背中の上方と上半身下方とを引き合わせるようにして胸を上下方向に張るようにする姿勢誘導の両方を同時に実行することができ、効果的に姿勢を伸ばして正しい姿勢とすることができる。
【００２６】
また、左肩装着部１０Ｌから抱き持ち部右接続部２５Ｒに向けて引っ張られ、同じ強さで右肩装着部１０Ｒから抱き持ち部左接続部２５Ｌに向けて引っ張られることにより、利用者の胸を左右に広げ、かつ、胸を前上方へ張るように反らすことができる。
【００２７】
第１引張体１２Ｌと第２引張体１２Ｒが交差している交差部１６と、第３引張体１１Ｌと第４引張体１１Ｒが交差している交差部１４は、両方とも固定されていないため、それぞれが自由に移動・伸縮できる。これにより、第１引張体１２Ｌおよび第３引張体１１Ｌによって左肩を右腰から引っ張ることができ、第２引張体１２Ｒおよび第４引張体１１Ｒによって右肩を左腰から引っ張ることができる。交差部１４および交差部１６で固定すると背中中心から引っ張ることになるが、そうではなく肩を反対側の腰から引っ張ることで、効果的に姿勢を正し、身体のバランスを整えることができる。
【００２８】
使用者は、姿勢誘導抱き持ち具１によって、身体全体を正しい姿勢にすることで、身体のバランスが保たれ、余計な力を使うことなく身体を支えることや、動かすことができる。これにより姿勢誘導抱き持ち具１は、重心が前方にあることから使用者の身体の使い方が偏って発生する頭痛や肩こりなどの症状を解消、軽減することもできる。
【００２９】
姿勢誘導抱き持ち具１は、使用者の左肩を、第１引張体１２Ｌおよび第３引張体１１Ｌによって上下方向それぞれから同時に右腰方向に引っ張る形態であり、使用者の右肩を、第２引張体１２Ｒおよび第４引張体１１Ｒによって上下方向それぞれから同時に左腰方向に引っ張る構成である。この構成により、引張体が左右それぞれ１本のときと比較して、抱き持ち対象によって肩にかかる力が分散され、より楽に抱き持ち対象を抱きかかえることができる。さらに、肩を引っ張る力が上下方向からかかることにより、左右の肩固定部１３Ｒ、１３Ｌによってバランスよく肩が引っ張られ、より正しい姿勢誘導を行うことができる。
【００３０】
第１引張体１２Ｌは、左脇装着部１７Ｌにおける横幅よりも、右側引張体接続部１８Ｒおよび抱き持ち部右接続部２５Ｒにおける横幅の方が広く設定され、同様に、第２引張体１２Ｒは、右脇装着部１７Ｒにおける横幅よりも、左側引張体接続部１８Ｌおよび抱き持ち部左接続部２５Ｌにおける横幅が広く設定される。この構成により、抱き持ち部Ｃを脱落することなく強固に保持することができる。
【００３１】
第１引張体１２Ｌ、第３引張体１１Ｌ、第２引張体１２Ｒ、および第４引張体１１Ｒは互いにクロスするように重なり、使用者の背面における重なり順が、第３引張体１１Ｌおよび第４引張体１１Ｒが第１引張体１２Ｌおよび第２引張体１２Ｒよりも下側になるよう重なる構成である。この構成により、各引張体接続部１８Ｒ、１８Ｌが外れにくく、姿勢誘導抱き持ち具１および抱き持ち部Ｃの脱落を防止することができる。
【００３２】
この発明は、上述の実施形態の構成のみに限定されるものではなく、多くの実施の形態を得ることができる。
例えば、左肩装着部１０Ｌ、左肩固定部１３Ｌ、および左脇装着部１７Ｌすべてを有する円環形状の左肩固定装着部と、左肩固定装着部から延びて抱き持ち部右接続部２５Ｒと接続する１本の第１引張体１２Ｌを備え、反対側には同様に右肩装着部１０Ｒ、右肩固定部１３Ｒ、および右脇装着部１７Ｒすべてを有する円環形状の右肩固定装着部と、右肩固定装着部から延びて抱き持ち部左接続部２５Ｌと接続する１本の第２引張体１２Ｒを備えることで、左右の引張体を各１本ずつの構成としてもよい。このような構成であっても、実施例と同様の効果を得ることができる。
【００３３】
実施例では、抱き持ち部右接続部２５Ｒ、抱き持ち部左接続部２５Ｌ、右側引張体接続部１８Ｒ、および左側引張体接続部１８Ｌは面ファスナーまたはボタン等で構成され、使用者が装着前に固定できる形態としたが、各接続部は製造段階で縫い付けられる、もしくは一体に形成されている構成であってもよい。
【００３４】
実施例では抱き持ち対象を乳幼児としたときの例を説明したが、この例に限定されない。例えば、リュックといった内容物によって重量が変化する物でもよく、引っ越し用の段ボールといった通常持ち運ぶには腰に大きな負担がかかる物であってもよい。また、抱き持ち部Ｃが有する背もたれ部２０、頭部支部２１、下方支部２２、右脚挿通穴２３Ｌ、および左脚挿通穴２３Ｒといった形状は、抱き持ち対象の大きさおよび形状に応じて、適宜変更してもよい。このようにすることで、姿勢誘導抱き持ち具１にて持ち上げられる荷物によって使用者の健康が守られることとなる。また、年寄であっても姿勢誘導抱き持ち具１によって重い荷物を運ぶことが可能となる。
【産業上の利用可能性】
【００３５】
この発明は、人または物を抱える抱き持ち具に利用することができる。
【符号の説明】
【００３６】
１…姿勢誘導抱き持ち具
Ａ…第１誘導体
Ｂ…第２誘導体
Ｃ…抱き持ち部
１０Ｌ…左肩装着部
１０Ｒ…右肩装着部
１１Ｌ…第３引張体
１１Ｒ…第４引張体
１２Ｌ…第１引張体
１２Ｒ…第２引張体
１７Ｌ…右脇装着部
１７Ｒ…左脇装着部
２５Ｒ…抱き持ち部右接続部
２５Ｌ…抱き持ち部左接続部
【要約】
【課題】人または物を抱えたヒトの姿勢を正しい姿勢に誘導し、抱きかかえ対象に対する力の伝達を補助する姿勢誘導抱き持ち具を提供することを目的とする。
【解決手段】第１誘導体は、利用者の左肩付近に装着される左肩装着部と、抱き持ち部の右側と接続する抱き持ち部右接続部と、少なくとも前記利用者の背面側を通り、前記左肩装着部と前記抱き持ち部右接続部とを接続し、前記抱き持ち部右接続部の方向へ引っ張る第１引張体と、を有し、第２誘導体は、前記利用者の右肩付近に装着される右肩装着部と、前記抱き持ち部の左側と接続する抱き持ち部左接続部と、少なくとも前記利用者の背面側を通り、前記右肩装着部と前記抱き持ち部左接続部とを接続し、前記抱き持ち部左接続部の方向へ引っ張る第２引張体と、を有する構成とした。
【選択図】図１【図１】
0006923125.tif 000002
【図２】
0006923125.tif 000003
【図３】
0006923125.tif 000004
【図４】
0006923125.tif 000005